(57)【要約】【課題】遊技盤側への異物の挿入を確実に防止する。【解決手段】遊技補助盤２７の上端縁に形成された左庇状部２８の下面に、左右に離間して第１および第２壁部３２,３４が形成される。左庇状部２８と第１および第２壁部３２,３４とにより、遊技補助盤２７に開設した開口４０に連通する給出口部３１が画成される。遊技補助盤２７の前側に配設された上球皿１６の球受け筒部１６ｄは、上球皿１６の閉成時に給出口部３１内に挿入される。このとき、球受け筒部１６ｄに形成された上方開口１６ｅは左庇状部２８で覆われる。左庇状部２８の下面および第１壁部３２の内側面には、耐熱性板部材５２が設けられ、球受け筒部１６ｄから挿入された加熱手段により左庇状部２８や第１壁部３２に穴が開けられるのを防止するよう構成した。【選択図】図４
2006192083.tif 000002
【特許請求の範囲】
【請求項１】
遊技盤を着脱自在に保持する保持部と、この保持部の下方に形成された遊技補助盤と、該遊技補助盤の上端縁に形成されて前方へ延出する庇状部と、前記遊技補助盤の前側に開閉可能に設けた上球皿と、この上球皿に設けられて前記遊技補助盤の側に延出する球受け筒部と、前記庇状部の直下位置に形成され、前記球受け筒部を介して前記上球皿へ遊技球を給出する給出口部とを備えた遊技機において、
前記庇状部は、閉成時の前記上球皿の後面に略当接する長さに設定され、
前記球受け筒部には、その上端から所定高さで切欠かれることで上方に開口する上方開口が筒部後端まで延在するよう形成され、
前記上球皿を閉成した際に、前記球受け筒部が前記給出口部内に挿入されると共に、前記上方開口が前記庇状部で覆われるよう構成した
ことを特徴とする遊技機。
【請求項２】
前記庇状部から下方に向けて所定長さ延在する壁部が形成されると共に、前記庇状部および壁部によって前記給出口部が画成される請求項１記載の遊技機。
【請求項３】
前記庇状部の下面に沿って耐熱性板部材を設けた請求項１または２記載の遊技機。
【請求項４】
前記庇状部の下面および前記壁部の内側面に沿って耐熱性板部材を設けた請求項２記載の遊技機。
【発明の詳細な説明】
【技術分野】
【０００１】
本発明は、遊技機に関し、更に詳細には、遊技盤を保持する保持部の下方に、発射レール等を配設する遊技補助盤を設けると共に、該遊技補助盤の前側に、遊技球を貯留する上球皿を開閉可能に配設するようにした遊技機に関するものである。
【背景技術】
【０００２】
パチンコ機やアレンジボール機等の遊技機では、外郭をなす外枠に対し、着脱および開閉可能に中枠が組み付けられると共に、該中枠に開設した保持部を介して所要の遊技領域を画成した遊技盤が保持されている。また、前記中枠の前側には、ガラス板を備えた前枠が開閉自在に枢支され、該前枠を中枠に対して閉成した際に、該ガラス板を介して前記遊技盤を前側から視認し得るよう構成される。更に、前記中枠における前記前枠の下方位置には、多数のパチンコ球(遊技球)を貯留し得る上球皿が開閉自在に組み付けられると共に、該中枠における上球皿の下方位置には、パチンコ球を貯留可能な下球皿やハンドル部材等が組み付けられている。
【０００３】
なお、前記中枠における前記上球皿と対応する位置には、前記遊技盤に向けてパチンコ球を案内する発射レールを配設する遊技補助盤が形成されている。この遊技補助盤の上端縁には、その上端縁の略中央位置を挟んで所要間隔離間して前方に向けて延出する左庇状部および右庇状部が形成される。また、前記遊技補助盤には、その左側部に前後に開口する給出口が開設されて、該給出口に前記上球皿に設けた球受け筒部が臨むよう構成され、前記中枠の裏側に配設した機構セット盤の球処理部からのパチンコ球を、該給出口および球受け筒部を介して前記上球皿に給出するよう構成されている。そして、前記ハンドル部材の操作に応じて前記上球皿のパチンコ球を前記発射レールの発射位置に送り出すと共に、前記遊技盤に向けて打ち出すことで、該パチンコ球は前記左右の庇状部の間の開口領域を通過して遊技盤の案内レールに沿って遊技領域に案内されるようになっている。
【０００４】
ところで、前記パチンコ機の所要箇所に隙間がある場合には、該隙間から針金等の異物を遊技盤の盤面まで挿入して、不当な利得を得ようとする不正行為が行なわれる畏れがある。例えば、前記球受け筒部から遊技補助盤の前側に侵入させた異物を、前記左右の庇状部と上球皿との間の隙間や、両庇状部の間の開口領域を介して遊技盤の盤面まで挿入し、該遊技盤の案内レールとガラス板との間に通して遊技領域内に到達させ、開閉入賞装置の羽根等を該異物で不正に開放させることで、不正な利益を得ようとする行為が行なわれる畏れがある。そこで、パチンコ機の内部に外部から異物を挿入し得ないよう構成することが求められ、これを実現するための様々な技術が提案されている(例えば、特許文献１参照)。
【０００５】
前記特許文献１に記載されたパチンコ機では、前記左右の庇状部を前記上球皿の後面に当接させて、該庇状部と上球皿との間の隙間を遮蔽することにより、遊技補助盤側から遊技盤側への異物の侵入を阻止し、不正行為を防止するよう構成されている。また、前記遊技補助盤における前記給出口の右側に、前方に向けて延在する壁部を形成すると共に、前記左右の庇状部の間に配設したカバー部材の後面を該壁部の前端面に当接するよう構成し、当該壁部により両庇状部の間の開口領域まで異物が到達しないようにして不正行為を防止している。なお、前記球受け筒部を、前記給出口に近接する位置まで延在するよう構成することにより、該球受け筒部を介して遊技補助盤側に侵入された異物は、該遊技補助盤の前面に沿って侵入すると共に、前記壁部により規制されるから、該異物が前記カバー部材の前面側に到達するのを規制し、前記左右の庇状部の間の開口領域に異物が侵入するのを確実に防止するよう構成されている。
【特許文献１】特開２０００−３３４１３２号公報
【発明の開示】
【発明が解決しようとする課題】
【０００６】
ところで、近年は、前記遊技盤を大型化すると共に、該遊技盤に大型の遊技装置(例えば、図柄表示装置等)を配設して、遊技演出の迫力やインパクトを高め、遊技の面白みを増大させる傾向が強くなっている。このように、前記遊技盤の大型化に伴い、前記中枠に対する前記保持部の占める領域が拡大し、前記左右の庇状部の形成位置が従来のパチンコ機に較べて下方に位置することになる。このため、前記遊技補助盤における前記給出口の開設位置も従来のパチンコ機より下方に移動させる必要が生ずる。しかるに、前記遊技補助盤の前側に配設した前記上球皿は、一般的に左から右方向に向けて所要角度で下方傾斜するよう構成され、貯留したパチンコ球を発射レールの発射位置に向けて案内するようになっている。このため、前記球受け筒部は、前記上球皿の左側(上流側)に連通するよう設けられて、比較的上方に位置している。従って、前記左右の庇状部の形成位置を下方に移動させた場合であっても、前記球受け筒部を臨ませる前記給出口を下方位置に開設するには限界がある。一方、前記給出口を遊技補助盤の上方位置(すなわち庇状部に近接する位置)に開設すると、該上球皿の閉成時に、前記球受け筒部と庇状部とが干渉する問題が生ずる。
【０００７】
そこで、本発明は、遊技盤を保持する保持部の領域を拡大し得ると共に、該遊技盤側への異物の挿入を防止し得る遊技機を提供することを目的とする。
【課題を解決するための手段】
【０００８】
前記課題を克服し、所期の目的を達成するために、本願発明に係る遊技機は、
遊技盤(14)を着脱自在に保持する保持部(25)と、この保持部(25)の下方に形成された遊技補助盤(27)と、該遊技補助盤(27)の上端縁に形成されて前方へ延出する庇状部(28)と、前記遊技補助盤(27)の前側に開閉可能に設けた上球皿(16)と、この上球皿(16)に設けられて前記遊技補助盤(27)の側に延出する球受け筒部(16d)と、前記庇状部(28)の直下位置に形成され、前記球受け筒部(16d)を介して前記上球皿(16)へ遊技球を給出する給出口部(31)とを備えた遊技機において、
前記庇状部(28)は、閉成時の前記上球皿(16)の後面に略当接する長さに設定され、
前記球受け筒部(16d)には、その上端から所定高さで切欠かれることで上方に開口する上方開口(16e)が筒部後端まで延在するよう形成され、
前記上球皿(16)を閉成した際に、前記球受け筒部(16d)が前記給出口部(31)内に挿入されると共に、前記上方開口(16e)が前記庇状部(28)で覆われるよう構成したことを特徴とする。
【０００９】
また、前記庇状部(28)から下方に向けて所定長さ延在する壁部(32,34)が形成されると共に、前記庇状部(28)および壁部(32,34)によって前記給出口部(31)が画成されるようにしてもよい。
【００１０】
更に、前記庇状部(28)の下面に沿って耐熱性板部材(52)を設けることができる。
【００１１】
また前記庇状部(28)の下面および前記壁部(32,34)の内側面に沿って耐熱性板部材(52)を設けることができる。
【発明の効果】
【００１２】
本発明の請求項１に係る遊技機によれば、上球皿を閉成した際には、その後面に庇状部が略当接すると共に、球受け筒部が給出口部内に挿入されるよう構成したから、遊技補助盤の給出口部側と遊技盤の遊技領域側とを遮断することができ、遊技補助盤側から遊技盤側へ異物を侵入させる不正行為を阻止することができる。また球受け筒部に、その上端から所定高さで切欠いて上方に開口する上方開口を形成したから、その切欠いた分だけ庇状部の位置を下げることが可能となり、上球皿の閉成時に球受け筒部と庇状部とを干渉させることなく、保持部の領域を拡大させ得る。
【００１３】
請求項２に係る遊技機によれば、庇状部と、該庇状部から下方に向けて延在する壁部とによって給出口部を画成したから、球受け筒部が挿入された給出口部から横方向への異物の挿入を防止することができる。
【００１４】
請求項３に係る遊技機によれば、庇状部の下面に耐熱性板部材を設けたから、球受け筒部から煙草等の加熱手段を挿入されたとしても、庇状部に穴を開けられることがなく、遊技盤側への異物の挿入を確実に防止できる。
【００１５】
請求項４に係る遊技機によれば、庇状部の下面および壁部の内側面に耐熱性板部材を設けたから、球受け筒部から煙草等の加熱手段を挿入されたとしても、庇状部および壁部に穴を開けられることがなく、給出口部から上および横方向への異物の挿入を確実に防止し得る。
【発明を実施するための最良の形態】
【００１６】
次に、本発明に係る遊技機につき、好適な実施例を挙げて、添付図面を参照しながら、以下詳細に説明する。なお実施例では、遊技機としてパチンコ球を遊技媒体として使用する一般的なパチンコ機を例にして説明する。また、説明の便宜上、特にことわりのない限り、左右および前後とは、パチンコ機を正面から視た状態で指称するものとする。
【実施例】
【００１７】
(パチンコ機について)
実施例のパチンコ機１０は、図１に示すように、縦長矩形状に形成されてパチンコ機１０の外郭をなす外枠１１の開口前面側に、遊技盤１４やその他各種部材を搭載した中枠１２が着脱および開閉自在に枢支される。また、前記中枠１２の前側には、遊技盤１４を透視保護する前枠１３、および多数のパチンコ球(遊技球)を貯留し得る上球皿１６が、横開き形態で開閉自在に組み付けられている。更に、中枠１２の下部には、上球皿１６に貯留しきれないパチンコ球を貯留する下球皿１８が組み付けられると共に、上球皿１６に貯留したパチンコ球を遊技盤１４の遊技領域１４ａに向けて打ち出し操作可能なハンドル部材１９等が取り付けられている。なお、前記遊技盤１４の遊技領域１４ａには、図柄表示装置５５や入賞装置５６等の各種遊技部品が配設されて、所要の遊技を展開し得るようになっている。そして、前記中枠１２の裏側には、各種の球経路および球処理部等を備えた機構セット盤(図示せず)が配設されて、これにより一台のパチンコ機１０を形成している。また、前記上球皿１６の後面には、貯留したパチンコ球を後述する発射レール２０の発射位置に向けて一球ずつ送り出す球送り装置２４を配設してある。なお、前記遊技盤１４には、円弧状に湾曲させた案内レール１５が配設されており、前記ハンドル部材１９の操作により打ち出されたパチンコ球を前記遊技領域１４ａの上方位置まで案内するよう構成される。
【００１８】
(中枠について)
前記中枠１２は、全体が合成樹脂により前記外枠１１の開口領域に整合する外形サイズに成形されて、図３に示すように、前後に開口して前記遊技盤１４を着脱自在に保持する遊技盤保持部(保持部)２５と、該遊技盤保持部２５の下方に形成される遊技補助盤２７と、該遊技補助盤２７の下方に形成され、前記下球皿１８および打球駆動部(図示せず)を組み付ける設置盤３７とから構成されている。ここで、前記遊技盤保持部２５は、遊技盤１４と略整合する大きさで開設されて、該遊技盤１４の下端縁を遊技補助盤２７の上端縁で支持するようになっており、該遊技補助盤２７の上部に遊技盤１４を載置した形態で保持している。なお、前記設置盤３７には、該設置盤３７に設置した下球皿１８に連通する排出口３７ａや、前記打球駆動部を配設する収容部３７ｂが設けてある(図３参照)。前記打球駆動部は、駆動源としてのロータリーソレノイドと、該ロータリーソレノイドの回転に伴い揺動される打球杆とから構成されて、前記ハンドル部材１９の操作に応じてロータリーソレノイドが駆動されて前記発射レール２０の発射位置に送り込まれたパチンコ球を打球杆により打ち出すよう構成される。
【００１９】
また前記中枠１２は、その左側部の上下端部に配設した第１のヒンジ金具２１,２１(図１参照)を介して、前記外枠１１に対して開閉自在に枢支されると共に、中枠１２における前記遊技補助盤２７の左側に配設した第２のヒンジ金具２２(図１または図２参照)を介して、前記上球皿１６が中枠１２に対して開閉自在に枢支される。すなわち、前記遊技補助盤２７の前側を、前記上球皿１６で閉成するようになっている。また上側の第１のヒンジ金具２１および第２のヒンジ金具２２を利用して、前記前枠１３が中枠１２に対して開閉自在に枢支される。なお、前記中枠１２における前記上球皿１６および前枠１３の枢支側(左側)とは反対側(右側)には、前記外枠１１に対して中枠１２を施錠すると共に、中枠１２に対して前枠１３および上球皿１６を施錠し得る施錠装置２３が配設されており、該施錠装置２３の施錠および解錠を行なうことで中枠１２、前枠１３および上球皿１６の夫々を開閉し得るよう構成される。
【００２０】
(上球皿について)
前記上球皿１６は、前記中枠１２の左右方向の幅寸法と略同等に設定されて、前記遊技補助盤２７の前側を被覆可能な大きさに設定される。この上球皿１６は、図１または図５に示すように、前記中枠１２に配設した前記第２のヒンジ金具２２に枢支される当て板１６ａと、該当て板１６ａの前側に設けられる外郭部１６ｂと、外郭部１６ｂに上方に開口するよう設けられて多数のパチンコ球を貯留する球皿部１６ｃと、当て板１６ａの左上部側(遊技補助盤２７の後述する給出口部３１と対応する側)に設けられて、球皿部１６ｃに連通すると共に遊技補助盤２７の側に延在する球受け筒部１６ｄとを備えている。そして前記上球皿１６の閉成時には、球受け筒部１６ｄの後端部が、遊技補助盤２７の給出口部３１内に所定長さに亘って挿入されるよう構成されており、前記機構セット盤の球経路から到来するパチンコ球を、給出口部３１および球受け筒部１６ｄを介して前記球皿部１６ｃに給出するようになっている。なお、前記球受け筒部１６ｄには、その上端から所定高さで切欠かれることで上方に開口する上方開口１６ｅが筒部後端まで延在するよう形成されており、前記上球皿１６の閉成時に、該球受け筒部１６ｄと後述の左庇状部２８とが干渉しないよう構成される。また、前記球受け筒部１６ｄに上方開口１６ｅを形成したことで、前記給出口部３１から到来したパチンコ球が球受け筒部１６ｄで球詰まりを起こすのを防止している。
【００２１】
前記当て板１６ａの後面には、その略全面を被覆する大きさに設定された金属板部材１７が配設されており、実施例では該金属板部材１７が上球皿１６の後面を構成している。この金属板部材１７の上端縁には、その略全長に亘って前側に開口する断面略コ字状の係合レール１７ａが形成されており(図５参照)、前記前枠１３の閉成時に、該前枠１３の下端縁に沿って後方に突出するよう形成した係合部(図示せず)と、該係合レール１７ａとが噛合するよう構成してある。すなわち、前記上球皿１６と前枠１３との間に生ずる隙間を前記係合レール１７ａで遮蔽して、該隙間からパチンコ機１０の内部(遊技盤１４側や遊技補助盤２７側)に異物を挿入し得ないようになっている。なお、前記金属板部材１７における前記球受け筒部１６ｄと対応する位置には、第１開口部１７ｂ(図５参照)が開設されており、該第１開口部１７ｂを介して球受け筒部１６ｄが前記遊技補助盤２７側に延在している。
【００２２】
(遊技補助盤について)
前記遊技補助盤２７は、図４または図５に示すように、前記中枠１２の後側に形成され、前記設置盤３７は中枠１２の前側に形成されている。そして、前記遊技補助盤２７の下端縁と設置盤３７の上端縁とは仕切板３８で接続されて、遊技補助盤２７の前面と設置盤３７の後面とを隔絶するようになっている。また、遊技補助盤２７の上端縁には、前方に向けて略水平に延出する左庇状部２８および右庇状部２９を形成してある。すなわち、前記遊技補助盤２７は、前方に開口する凹状に形成される。なお、前記左右の庇状部２８,２９は、その前端部が前記設置盤３７の前面と略同一平面上に位置するよう設定される。また、前記左右の庇状部２８,２９は、前記上球皿１６を中枠１２に対して閉成した際に、該上球皿１６を構成する前記金属板部材１７の後面に略当接する長さ寸法に設定される。
【００２３】
図１に示すように、前記遊技補助盤２７の右側に、右から左方向に向けて所要の上り傾斜角度で前記発射レール２０が設置され、前記遊技盤１４に設けた案内レール１５に連絡するようになっている。ここで、前記発射レール２０と案内レール１５との関係は、図２に示すように、発射レール２０の上端が遊技補助盤２７の上端縁より下方に位置すると共に、案内レール１５の下端が遊技補助盤２７における上端縁の上方に位置し、互いに適宜高低差および間隔をもって対向するよう設定される。なお、前記遊技補助盤２７における前記発射レール２０の配設位置より右側には、前記施錠装置２３を構成する上球皿用施錠具２３ａが上下移動可能に配設されており、該施錠具２３ａと前記上球皿１６に形成した被施錠部１６ｆ(図１参照)とが係合することで、常には上球皿１６を閉成状態で保持している。
【００２４】
ここで、前記仕切板３８における前記発射レール２０の発射位置(傾斜下端側)の下方に臨む位置には、前記設置盤３７の裏側に連通する第２開口部３８ａ(図４参照)が開設されており、前記打球杆を揺動させた際に該第２開口部３８ａを介して打球杆が発射レール２０の発射位置に到来してパチンコ球を打ち出すようになっている。なお、前記仕切板３８(設置盤３７の上端部)における前面の略中央位置は、図４に示すように、所定範囲に亘って後方に凹んだ凹部３８ｂが形成されると共に、該仕切板３８(設置盤３７の上端部)において凹部３８ｂを挟む位置には、後述するカバー部材４１の爪部４５,４５と係脱自在に係合する係止片３９,３９が上方に向けて延出している。また、前記仕切板３８における前記右側の係止片３９の形成位置には、上方に向けて突出する段部３８ｃが形成されると共に、該段部３８ｃに溝部３８ｄが形成されており(図４参照)、該溝部３８ｄに挿入した爪部４５が該係止片３９に係合するようになっている。
【００２５】
前記遊技補助盤２７の左上端縁に形成される前記左庇状部(庇状部)２８は、図３または図４に示すように、該遊技補助盤２７の左端部からその略１／３の位置まで延在すると共に、遊技補助盤２７の右上端縁に形成される前記右庇状部２９は、該左庇状部２８の右端部から所定間隔離間する位置から遊技補助盤２７の右端部まで延在している。すなわち、前記遊技補助盤２７の上端縁の略中央位置において前記左右の庇状部２８,２９を離間させることにより、両庇状部２８,２９の間に該遊技補助盤２７から前記遊技盤保持部２５に保持した遊技盤１４側に連通する開口領域３０が形成される。そして、前記開口領域３０の右側下方位置に前記発射レール２０の上端が臨むと共に、該開口領域３０の左側上方位置に前記案内レール１５の下端が臨むよう設定されている。このため、前記発射レール２０から打ち出されたパチンコ球は、前記左右の庇状部２８,２９の間の開口領域３０を介して前記案内レール１５まで案内されるようになっている。
【００２６】
なお、前記左右の庇状部２８,２９は、前記遊技盤保持部２５の下縁部(遊技補助盤２７の上端部)と段差なく連続的に形成されており、遊技盤１４を前記遊技盤保持部２５に保持する際の受け部としても機能する。すなわち、前記左右の庇状部２８,２９に前記遊技盤１４を一旦載置して、該遊技盤１４の着脱作業を行ない得るようになっている。また左庇状部２８の前端面には、その右端部から左方向に所要長さに亘って切り欠かれた第１切欠部２８ａが形成されると共に、右庇状部２９の前端面には、その左端部から右方向に所要長さに亘って切り欠かれた第２切欠部２９ａが形成されている。
【００２７】
図３に示す如く、前記遊技補助盤２７の下端位置における前記左右の庇状部２８,２９間の開口領域３０と対応する位置には、前後に貫通する回収口３５が開設され、前記設置盤３７の後面に配設した球回収樋(図示せず)を介して該設置盤３７の排出口３７ａに連通するよう構成されている。従って、前記発射レール２０から打ち出された際の勢いが弱く、前記遊技領域１４ａまで到達しないパチンコ球は、前記案内レール１５に沿って落下して該案内レール１５と発射レール２０との間を通過し、前記開口領域３０を介して遊技補助盤２７の前面側に回収される。そして、遊技補助盤２７に到来したパチンコ球は、前記回収口３５および排出口３７ａを介して前記下球皿１８に排出されるよう構成される。
【００２８】
前記遊技補助盤２７の左側上部で左庇状部２８の下方位置には、前後に貫通して前記機構セット盤の球経路に連通する開口４０(図３参照)が開設されており、該開口４０を介して遊技補助盤２７(中枠１２)の裏側から表側にパチンコ球を給出し得るようになっている。また遊技補助盤２７には、開口４０を挟んで左右に離間する位置に、前方に所定長さ延出する一対の壁部３２,３４が前記左庇状部２８の下面から下方に向けて所定長さ延在するよう形成されている。そして、左庇状部２８および一対の壁部３２,３４により前記開口４０の前方、すなわち左庇状部２８の直下に給出口部３１が画成され、前記上球皿１６の閉成時には該給出口部３１に前記球受け筒部１６ｄが前側から挿入されて、開口４０と球受け筒部１６ｄとが連通すると共に、前記上方開口１６ｅが左庇状部２８で覆われるよう構成される(図５参照)。なお、上球皿１６の閉成時には、球受け筒部１６ｄの後端面が、遊技補助盤２７における開口４０の外側の前面に当接するようになっている。また、左庇状部２８の右端部から下方に向けて形成される第１壁部３２は、給出口部３１および開口４０を前記開口領域３０から隔離するべく機能する。更に第１壁部３２には、後述するカバー部材４１を固定するためのネジ孔３２ａが形成されている。
【００２９】
前記遊技補助盤２７における前記開口４０の下方位置には、該開口４０の左側に位置する第２壁部３４の下端に接続し、前記回収口３５に向けて右側に下り傾斜する板状の溢れ球回収路３３が形成されている。なお、溢れ球回収路３３の上面は、前記第１壁部３２の下端から下方に大きく離間し、該溢れ球回収路３３を転動するパチンコ球の回収口３５への流入を許容するようになっている。また図４に示すように、前記第２壁部３４の前端面は、前記溢れ球回収路３３の前端面より後方に位置するよう設定してある。ここで、前記第２壁部３４の左側には、図示しないコネクタ接続部が配置されており、該第２壁部３４を前記溢れ球回収路３３より後方に位置させることで、該コネクタ接続部へのコネクタの着脱作業を容易に行ない得るよう構成されている。更に、前記回収口３５から上方に所要の距離だけ離間する位置には、左右に延在する第１板面３６ａと、第１板面３６ａの右端部から下方に延在する第２板面３６ｂとからなる第３壁部３６が形成されて、該回収口３５の上側および右側を囲繞するようになっている。
【００３０】
(耐熱性板部材について)
前記左庇状部２８および第１壁部３２には、金属または熱硬化性樹脂等の耐熱性を有する材料からなる薄板状の耐熱性板部材５２が、その下面および内側面に沿って配設されている。この耐熱性板部材５２は、図４または図６に示す如く、左庇状部２８に沿って下面に当接する第１保護部５２ａと、該第１保護部５２ａの右端部に折曲形成されて、前記第１壁部３２に沿って内側面(給出口部３１側)に当接する第２保護部５２ｂとから基本的に構成されて、略Ｌ字状に形成されている。なお、第１保護部５２ａは、第１および第２壁部３２,３４の間で、左庇状部２８における前記給出口部３１を画成する領域の全長に亘って延在する長さに設定されている。また第１保護部５２ａの左側前端に、左庇状部２８に前側から係合可能な係止部５２ｃが形成されると共に、第２保護部５２ｂの前端には、第１壁部３２に形成したネジ孔３２ａと対応する位置に第１壁部３２の前面側に延出する被挟持部５２ｄが形成され、該被挟持部５２ｄにはネジ孔３２ａに整列する通孔５２ｅが穿設されている。すなわち、耐熱性板部材５２は、係止部５２ｃを左庇状部２８に係合すると共に、通孔５２ｅをネジ孔３２ａに整列するよう被挟持部５２ｄを第１壁部３２の前面に位置決めした状態で、後述するカバー部材４１をネジ止めするネジ５１で共締めされるようになっている。
【００３１】
(カバー部材について)
図１、図２または図５に示すように、前記遊技補助盤２７と前記上球皿１６との間には、遊技盤１４側に異物が侵入するのを阻止する前記カバー部材４１が配設されており、遊技補助盤２７の前側をカバー部材４１で被覆するよう構成されている。前記カバー部材４１は、前記左右の庇状部２８,２９の前端面に当接して位置規制される板状本体４２と、該板状本体４２における給出口部３１と対応する位置に開設され、前記球受け筒部１６ｄを挿入させる第３開口部(開口部)４３と、板状本体４２における第３開口部４３の上部に前方に向けて突設されて左右方向の全長に亘って延在し、前記上球皿１６の後面(金属板部材１７)に当接する突出片４４とから基本的に構成される。
【００３２】
また、前記板状本体４２の左右の幅寸法は、前記左右の庇状部２８,２９に形成した前記第１および第２切欠部２８ａ,２９ａに整合し、かつ該板状本体４２の左側部は、前記給出口部３１の左側に位置する前記第２壁部３４に当接する位置まで延在するよう設定される。すなわち、前記板状本体４２は、前記右庇状部２９の第２切欠部２９ａおよび前記第２壁部３４に当接する位置まで延在するよう設定することで、前記開口領域３０の右方位置から給出口部３１の左方位置まで延在する大きさに寸法設定されている。また、前記板状本体４２の厚み寸法は、前記仕切板３８(設置盤３７の上端部)における前記凹部３８ｂに整合するよう設定されており、該板状本体４２を取り付けた状態で、該板状本体４２の前面が両庇状部２８,２９の前端面および設置盤３７の前面と略同一平面上に位置するようになっている。そして、前記突出片４４は、前記左右の庇状部２８,２９より前側に突出している。従って、図５に示すように、前記上球皿１６を前記中枠１２に対して閉成した際には、前記金属板部材１７が前記カバー部材４１の突出片４４に圧接されて、該金属板部材１７と突出片４４とが密着すると共に、カバー部材４１の後面と左右の庇状部２８,２９とが密着するようになっている。すなわち、中枠１２に対して閉成された上球皿１６における球受け筒部１６ｄの上方開口１６ｅを覆っている左庇状部２８の前端は、カバー部材４１を介して上球皿１６の後面に近接し、球受け筒部１６ｄから挿入された異物の上方への侵入を阻止し得るよう構成される。
【００３３】
また、前記板状本体４２の上下の高さ寸法は、前記左右の庇状部２８,２９の上端縁から前記仕切板３８(設置盤３７の上端縁)まで延在するよう設定されており、該板状本体４２が両庇状部２８,２９および仕切板３８の凹部３８ｂに当接するようになっている。すなわち、前記板状本体４２は、前記回収口３５の前側まで延在する大きさに寸法設定されて、該板状本体４２により、前記給出口部３１の周囲および回収口３５の前側を被覆するようになっている。なお、前記板状本体４２は、前記左右の庇状部２８,２９より僅かに上方に突出するよう形成されて、前記上球皿１６を閉成した際に、該板状本体４２の上端縁が前記金属板部材１７における係合レール１７ａの下面に密着するよう設定される。
【００３４】
更に、前記板状本体４２の下端部には、左右方向に離間する位置に、下方に向けて延出する爪部４５,４５が形成されると共に、板状本体４２における前記第３開口部４３の開設位置の右側には、前後に貫通する通孔４６が穿設されている。ここで、前記板状本体４２の左側に位置する爪部４５は、前記凹部３８ｂの左側に位置する前記係止片３９と係脱自在に係合する位置に形成されると共に、板状本体４２の右側に位置する爪部４５は、凹部３８ｂの右側に形成した前記段部３８ｃの溝部３８ｄに挿入可能な位置に形成されて、該溝部３８ｄに挿入したもとで凹部３８ｂの右側に位置する係止片３９と係脱自在に係合するよう構成される。そして、前記両爪部４５,４５を前記仕切板３８に形成した前記係止片３９,３９の後方に係合させた状態で、板状本体４２の前側から通孔４６に挿入したネジ５１を、前記耐熱性板部材５２の通孔５２ｅを介して前記第１壁部３２のネジ孔３２ａに螺挿することで固定される。すなわち、前記カバー部材４１の上部側は前記ネジ５１により固定され、下部側は前記爪部４５,４５と係止片３９,３９とが係合することにより固定される。
【００３５】
ここで、前記板状本体４２の左側部には、図４または図７に示すように、後方に突出する突部４２ａが形成されており、前記カバー部材４１を遊技補助盤２７の前面側に固定した際に、該突部４２ａの右面下端が前記溢れ球回収路３３の左側面に当接し、突部４２ａの後面左端が前記第２壁部３４の前端面に当接するようになっている(図５参照)。すなわち、前記板状本体４２を前記遊技補助盤２７の前面側に固定した状態では、該遊技補助盤２７の前記溢れ球回収路３３および第１〜第３壁部３２,３４,３６の前端面が、板状本体４２の後面に密着するよう設定されている。
【００３６】
また、前記板状本体４２の裏側下端部には、前記溢れ球回収路３３の右端に連接して前記回収口３５の開口左側まで延在する板状の球誘導部４７が遊技補助盤２７側に向けて延出しており、溢れ球回収路３３を転動するパチンコ球を回収口３５に向けて案内するようになっている。すなわち、前記上球皿１６を開放した際に、前記給出口部３１や球受け筒部１６ｄからパチンコ球が溢れると、該パチンコ球は前記溢れ球回収路３３および前記球誘導部４７を転動して前記回収口３５に向けて案内される。ここで、前記遊技補助盤２７の前側、すなわち前記溢れ球回収路３３や回収口３５の前側を、前記カバー部材４１で覆うようにしてあるから、給出口部３１や球受け筒部１６ｄから溢れたパチンコ球が、パチンコ機１０(中枠１２)の外側にこぼれ落ちるのは防止される。なお、前記球誘導部４７は、溢れ球回収路３３と略同一の傾斜角度で形成してある。
【００３７】
更に、前記板状本体４２の裏側には、前記遊技補助盤２７に向けて延出すると共に上下方向に延在する板状の第１〜第３規制部４８,４９,５０が形成されている(図７参照)。前記第１規制部４８は、前記発射レール２０の上端に対応する位置に、前記板状本体４２の上端縁から該遊技補助盤２７の第３壁部３６の上面に密着する上下の長さ寸法で形成される。また、前記第２規制部４９は、その下端部が前記仕切板３８に形成した段部３８ｃの左側に位置し、かつ上端部が前記右庇状部２９の下面に近接する上下の長さ寸法で形成されている。そして、前記第３規制部５０は、その下端部が前記段部３８ｃの右上端部に密着し、かつ上端部が前記発射レール２０の長手方向の略中央位置の上面に近接する上下の長さ寸法で形成される。なお、前記第１〜第３規制部４８,４９,５０の前後の奥行き寸法は、夫々の後端部が前記発射レール２０の前端面に当接する位置まで延在するよう設定されている。
【００３８】
〔実施例の作用〕
次に、前述のように構成された実施例に係るパチンコ機の作用について説明する。
【００３９】
前記パチンコ機１０においては、上球皿１６を閉成状態で保持したもとで遊技に供され、上球皿１６内にパチンコ球が貯留された状態で、前記球送り装置２４の球送り作動と、前記打球駆動部の打球作動との協働により、パチンコ球が１球ずつ発射レール２０の発射位置に送り込まれ、打球杆により打ち出される。ここで、前記遊技補助盤２７の左側上端縁に沿って左庇状部２８を形成すると共に、右側上端縁に沿って右庇状部２９を形成してある。従って、前記発射レール２０から発射されたパチンコ球は、前記左右の庇状部２８,２９の間の開口領域３０を介して遊技盤１４の案内レール１５まで案内され、該案内レール１５に沿って遊技領域１４ａまで案内される。
【００４０】
また、発射位置から発射されたものの、打球力不足等に起因して遊技領域１４ａ内へ到達できずに戻ってきたパチンコ球(戻り球という)については、左右の庇状部２８,２９の間の開口領域３０から遊技補助盤２７の前面側に受入れた後、遊技補助盤２７の回収口３５、球回収樋および設置盤３７の排出口３７ａを介して下球皿１８に回収される。ここで、前記戻り球が、前記発射レール２０に侵入すると、発射レール２０の発射位置に、この戻り球と、前記球送り装置２４により送り出されたパチンコ球の２個が位置することになり、打球杆で打ち出した際に再び打球力不足に陥り遊技領域１４ａ内へ到達し得ないこととなる。このため、遊技が進展せず、遊技者に不快感を与えることともなる。そこで、前記上球皿１６と遊技補助盤２７との間に配設した前記カバー部材４１には、前記発射レール２０の上端部に近接する位置に、第１規制部４８を形成してある。すなわち、前記第１規制部４８に戻り球が当接した場合は、前記回収口３５側に弾くことができるようにしたから、発射レール２０の発射位置に２個のパチンコ球が位置して次にパチンコ球を打ち出した際に打球力不足に陥るのは防止し得る。
【００４１】
ここで、前記左右の庇状部２８,２９は、前記遊技補助盤２７の上端縁に沿って略水平に前方に向かって延出している。このため、相当な重量物となる遊技盤１４を前記遊技盤保持部２５に着脱するに際し、該遊技盤１４の下端部を一旦庇状部２８,２９に載置することができるから、遊技盤１４の着脱作業を手早く簡単に行なうことが可能となる。また、前記遊技盤保持部２５に遊技盤１４を組み込んだ後に、前記中枠１２に対して上球皿１６および前枠１３を閉成した状態では、前記上球皿１６に配設した前記金属板部材１７の係合レール１７ａと前枠１３の係合部とが係合するようにしてあるから、上球皿１６と前枠１３との間の隙間は完全に遮断され、上球皿１６と前枠１３との間から遊技盤１４側に針金等の異物が挿入されるのは確実に防止し得る。
【００４２】
ところで、実施例のパチンコ機１０では、前記遊技補助盤２７の前側に配設したカバー部材４１は、前記開口領域３０の右方位置から前記給出口部３１の左方位置まで延在し、かつ前記回収口３５の前側まで延在する大きさに寸法設定されている。また、前記カバー部材４１を前記遊技補助盤２７の前側に配設した際に、該カバー部材４１(板状本体４２)と、前記左右の庇状部２８,２９および設置盤３７の前面とが略同一平面上に位置して、カバー部材４１の突出片４４が左右の庇状部２８,２９の前側に突出するよう設定されている。一方、前記上球皿１６は、前記中枠１２に対して閉成した際に、前記金属板部材１７が前記左右の庇状部２８,２９に略当接(近接)し得るよう設定してある。従って、前記中枠１２に対して上球皿１６を閉成した際には、前記金属板部材１７が前記突出片４４に圧接して前記遊技補助盤２７側と前記遊技盤１４側とが遮断されるから、遊技補助盤２７側から遊技盤１４側に異物を侵入させる不正行為を好適に阻止することが可能である。なお、前記上球皿１６における球受け筒部１６ｄに上方開口１６ｅを形成するようにしたから、該上球皿１６の閉成時に球受け筒部１６ｄが前記左庇状部２８に干渉して、該上球皿１６の閉成動作を阻害することはない。
【００４３】
また、例えばパチンコ機１０に配設した前記上球皿１６の球受け筒部１６ｄから異物が挿入される可能性がある。ここで、前記球受け筒部１６ｄは、前記カバー部材４１に開設した第３開口部４３を介して前記遊技補助盤２７側に延出し、前記給出口部３１に挿入されるよう構成されている。従って、前記球受け筒部１６ｄに異物を挿入した場合には、該球受け筒部１６ｄの上方開口１６ｅを介して、前記カバー部材４１の前側(カバー部材４１と上球皿１６との間)から遊技盤１４側に異物を侵入させる場合と、該上方開口１６ｅを介してカバー部材４１の後側(カバー部材４１と遊技補助盤２７との間)から遊技盤１４側に侵入させる場合とが考えられる。
【００４４】
そこで、先ず前記球受け筒部１６ｄの上方開口１６ｅを介して、前記カバー部材４１の前側から異物が侵入された場合について説明する。前述したように、前記カバー部材４１に形成した前記突出片４４を前記上球皿１６の後面(金属板部材１７)に密着させて、前記遊技補助盤２７側と遊技盤１４側とを完全に隔離するようにしてある。このため、前記カバー部材４１(板状本体４２)の前側から異物が挿入された際には、該異物は前記突出片４４により規制されて遊技盤１４側に侵入するのは規制される。更に、前記突出片４４を、前記板状本体４２の左右方向の略全長に亘って形成するようにしたから、異物をより確実に規制することができ、不正行為を好適に防止することができる。また、仮に突出片４４と上球皿１６の後面(金属板部材１７)との間から異物が侵入しても、該カバー部材４１の上端縁を金属板部材１７の係合レール１７ａの下面に密着するようにしたから、前記遊技盤１４側まで異物が侵入することはない。このように、前記遊技盤１４側への異物の侵入を２重に規制するよう構成しているから、異物を遊技盤１４の遊技領域１４ａへ侵入させる不正行為を確実に阻止し得る。
【００４５】
次に、前記球受け筒部１６ｄの上方開口１６ｅを介して、前記カバー部材４１の後側から異物が侵入された場合について説明する。前述したように、上方開口１６ｅが前記左庇状部２８で覆われ、かつ該左庇状部２８(第１切欠部２８ａ)の前端がカバー部材４１の後面に密着するようになっているから、カバー部材４１の後面に沿って上方に移動させた異物が遊技盤１４側に侵入するのは左庇状部２８により確実に防止される。また前記左庇状部２８の右端部には、前記第１壁部３２が下方に延在するよう形成されて、該第１壁部３２の前端がカバー部材４１の後面に密着している。このため、カバー部材４１の後側から侵入させた異物を、前記左右の庇状部２８,２９の間の開口領域３０から遊技盤１４側まで侵入させようと右方(横方向)に移動した場合には、該異物は第１壁部３２に当接して下方に案内される。このように、前記第１壁部３２により前記異物が左右の庇状部２８,２９の間の開口領域３０側に侵入するのを規制することで、前記遊技盤１４側まで侵入するのは阻止される。なお、前記第１壁部３２に沿って異物を折り曲げて、前記左右の庇状部２８,２９の間の開口領域３０まで異物が侵入されることも考えられるが、一旦下方に向けて案内された異物を、反転して上方に向けて移動させるのは現実的でなく、実質的に不可能である。すなわち、カバー部材４１の後面は前記左庇状部２８および第１壁部３２に圧接して密着しており、球受け筒部１６ｄからカバー部材４１の後側に挿入された異物が上方および右方へ移動して前記遊技盤１４側へ侵入されるのは確実に防止できる。
【００４６】
また、前述したように、前記板状本体４２を、前記開口領域３０の右方位置から前記給出口部３１の左方位置まで延在する大きさに寸法設定し、該給出口部３１と対応する位置に開設した第３開口部４３に前記球受け筒部１６ｄを挿入するようになっている。従って、板状本体４２(カバー部材４１)の後側まで一旦侵入した異物は、前側に移動させようとしても該板状本体４２の後面に当接することになるから、この異物を板状本体４２の前面側に移動させることは不可能である。すなわち、前記球受け筒部１６ｄの上方開口１６ｅを介して前記板状本体４２の後側に侵入させた異物を、前記カバー部材４１の前側に移動させて、前記開口領域３０から前記遊技盤１４側まで侵入されるのは確実に防止し得る。このように、前記球受け筒部１６ｄの上方開口１６ｅを介して前記板状本体４２の後側に侵入した異物は、前記第１壁部３２により前記遊技盤１４側に侵入するのを防止され、該板状本体４２の前側から遊技盤１４側へ侵入するのも防止される。
【００４７】
前述したように、前記球受け筒部１６ｄの上方側を切欠いて開口させた構成であっても、その上方開口１６ｅを介しての遊技盤１４側への異物の挿入は確実に規制して不正行為を防止することができる。そして、球受け筒部１６ｄに上方開口１６ｅを形成したことで、前記左右の庇状部２８,２９の位置を上方開口１６ｅの切欠き分だけ下げることができ、前記上球皿１６内のパチンコ球の好適な案内を確保すると共に、上球皿１６の閉成時に球受け筒部１６ｄと左庇状部２８とを干渉させることなく、パチンコ機１０に大型の遊技盤１４を配設することが可能となる。
【００４８】
更に、前記突出片４４に前記上球皿１６の金属板部材１７を圧接させたことで、前記遊技補助盤２７に形成した第２壁部３４や溢れ球回収路３３の前端面と、カバー部材４１の後面とは圧接して密着する。従って、前記第２壁部３４や溢れ球回収路３３とカバー部材４１との間から、カバー部材４１で被覆していない第２壁部３４の左側に異物が侵入して、該異物が前記左庇状部２８と上球皿１６(金属板部材１７)との間から遊技盤１４側に侵入するのは防止される。このように、実施例のパチンコ機１０によれば、上球皿１６の球受け筒部１６ｄから侵入された異物を遊技盤１４側へ侵入させて不正行為が行なわれるのを完全に阻止し得る。
【００４９】
ここで、前記球受け筒部１６ｄから挿入した煙草、ライターあるいは熱したピアノ線等の加熱手段によって、前記上方開口１６ｅを覆っている合成樹脂製の左庇状部２８や第１壁部３２に穴を開け、該穴から異物を遊技盤１４側へ侵入させる不正行為が行なわれる可能性がある。しかし、実施例のパチンコ機１０では、上方開口１６ｅの直上に位置する左庇状部２８の下面および右方に位置する第１壁部３２の内側面に沿って耐熱性板部材５２が設けられているから、加熱手段により左庇状部２８や第１壁部３２に穴が開けられるのは該耐熱性板部材５２で阻止でき、球受け筒部１６ｄが挿入された給出口部３１から上および右方(横方向)への異物の挿入を確実に防ぐことができる。
【００５０】
また、パチンコ機１０の下方に設けた下球皿１８(設置盤３７の排出口３７ａ)から、前記球回収樋および遊技補助盤２７の回収口３５を介して異物が挿入される可能性もある。この場合には、前記遊技補助盤２７に形成した第３壁部３６に異物が接触して遊技盤１４側への侵入が阻止される。ここで、前記回収口３５は前記左右の庇状部２８,２９間の開口領域３０の下方に形成されると共に、前記第３壁部３６の第１板面３６ａを回収口３５の上方位置で左右方向に延在するよう形成してある。従って、前記回収口３５から遊技補助盤２７側に侵入した異物は、前記第１板面３６ａにより、前記左右の庇状部２８,２９間の開口領域３０から逸れた方向に案内され、該異物が開口領域３０を介して遊技盤１４側に侵入するのは確実に阻止される。
【００５１】
また、前記第３壁部３６の第２板面３６ｂを前記回収口３５の右側で上下方向に延在するよう形成してある。このため、前記回収口３５から遊技補助盤２７側に侵入した異物は、前記第２板面３６ｂにより下方に案内され、該異物が前記遊技補助盤２７の右側に設けた前記施錠装置２３の上球皿用施錠具２３ａまで侵入するのは阻止される。更に、前記カバー部材４１を前記遊技補助盤２７の前側に取り付けた際に、前記第３壁部３６の前端部がカバー部材４１(板状本体４２)の後面に密着するようにしたから、カバー部材４１と第３壁部３６との間から、異物が前記左右の庇状部２８,２９の間の開口領域３０や、前記施錠装置２３側へ侵入することはない。また、前記板状本体４２(カバー部材４１)を、前記回収口３５の前側まで位置する大きさに寸法設定したから、該回収口３５を介して板状本体４２(カバー部材４１)の前側に異物が侵入することはなく、該異物が遊技盤１４側まで到達するのを阻止して不正行為を確実に防止できる。従って、実施例のパチンコ機１０によれば、下球皿１８から侵入された異物が遊技盤１４側へ侵入されて不正行為が行なわれるのを完全に阻止し得る。
【００５２】
ところで、前記遊技補助盤２７の右側には、前記上球皿１６を閉成状態で保持する施錠装置２３の上球皿用施錠具２３ａを配置してある。このため、前記球受け筒部１６ｄや前記回収口３５を介して遊技補助盤２７の前面側に侵入された異物により前記上球皿用施錠具２３ａが不正に解錠されると、上球皿１６を開放される可能性がある。ここで、前記カバー部材４１の右側には、第２および第３規制部４９,５０を形成してある。そして前記球受け筒部１６ｄや前記回収口３５から前記上球皿用施錠具２３ａに向けて侵入した異物は、先ず第２規制部４９に接触して右方向への移動が規制され、上球皿用施錠具２３ａまで侵入するのは阻止される。また、前記第２規制部４９よりも右側に前記第３規制部５０を形成してあるから、第２規制部４９の右側下部まで異物が侵入された場合でも、該異物は第３規制部５０に接触して上球皿用施錠具２３ａまで侵入するのは阻止される。ここで、前記第３規制部５０は、その下端部を前記仕切板３８に形成した段部３８ｃの右上端部に密着しているから、前記施錠装置２３(上球皿用施錠具２３ａ)側まで異物が侵入するのは確実に防止される。このように、前記カバー部材４１に、第２規制部４９および第３規制部５０を形成して、前記上球皿用施錠具２３ａ(施錠装置２３)まで異物が侵入するのを２重に規制するようにしたから、該上球皿用施錠具２３ａが不正に解錠されるのは確実に防止できる。
【００５３】
また、前記カバー部材４１の後面には、パチンコ球を前記回収口３５に向けて案内する球誘導部４７を形成してある。従って、前記上球皿１６を中枠１２に対して開放した際に、前記給出口部３１や上球皿１６の球受け筒部１６ｄから溢れたパチンコ球(溢れ球と云う)を、前記遊技補助盤２７に形成した溢れ球回収路３３を介して前記回収口３５に向け案内すると共に、該球誘導部４７を介して回収口３５まで案内できる。このように、前記遊技補助盤２７に到来した溢れ球をスムーズに前記回収口３５まで案内し得るよう構成したことで、該溢れ球がパチンコ機１０の前側にこぼれ落ちたりして作業者の負担が増大するのを防止し得る。また、前記カバー部材４１に球誘導部４７を形成したことで、回収口３５から遊技盤１４まで到達する経路が制限されるため、当該回収口３５から侵入した異物が遊技盤１４まで到達するのはより確実に抑制される。
【００５４】
そして、前記カバー部材４１に、遊技盤１４側や施錠装置２３側への異物の侵入を規制する規制部材としての機能と、パチンコ球を前記回収口３５に向けて案内する案内部材としての機能とを併せ持つよう構成したから、夫々の機能を有する単独の部材を遊技補助盤２７に組み付ける場合に較べて、部品点数を少なくして組み付け作業を簡略化し得る利点もある。
【００５５】
〔変更例〕
なお、本発明に係るに遊技機の構成としては、前述した実施例のものに限定されるものでなく、その他の構成を適宜に採用することができる。
【００５６】
実施例では、前記カバー部材を介して左庇状部(庇状部)の前端が上球皿の後面に当接するよう構成したが、左庇状部の前端が直に上球皿の後面に当接するように、カバー部材および左庇状部の形状を変更したものであってもよい。例えば、カバー部材の上端を球受け筒部の上端と同一レベルとし、該カバー部材の上方を前方に延出するようにした左庇状部の前端が上球皿の後面に当接するようにすればよい。なお、この場合に、球受け筒部に形成される上方開口は、左庇状部と干渉しない領域に亘って形成すればよい。また耐熱性板部材に関しては、第１保護部の左端部に、第２壁部の内側面(給出口部側)に沿って当接する第３保護部を折曲形状して、略コの字状に構成してもよい。更に、耐熱性板部材の遊技補助盤に対する取り付けに関して、実施例ではカバー部材を遊技補助盤に取り付けるためのネジで共締めする構成としたが、別のネジ等の固定手段により取り付けるようにしたり、あるいは接着剤等により接着固定するものであってもよい。
【００５７】
前記カバー部材に形成する突出片の形成位置としては、実施例のものに限られず、必要に応じて決定することができる。なお、カバー部材における前記突出片の好適な形成位置としては、上球皿に形成された球受け筒部より上方位置に形成するのが、不正手段の侵入防止手段として好ましく、更には庇状部と対応する位置に形成するのがより好適である。また、前記カバー部材の後面に形成する遊技球を回収口まで誘導する球誘導部の形成箇所および形状等は、実施例のものに限られず、任意の形状および位置に形成することができる。同様に、遊技補助盤側に形成した溢れ球回収路や第３壁部に関しても、その形成位置、形状および形成数に関しては、任意に設定すればよい。すなわち、異物の侵入経路を折れ曲がり形状に形成すればよく、多数の折れ曲がり有する形状に形成することで、より確実に不正行為を防止し得る。但し、遊技補助盤に形成される第１および第２壁部は、開口を挟む左右両側に位置して、左庇状部と第１および第２壁部とにより開口前方に給出口部を画成するよう構成する必要がある。
【００５８】
また、実施例では、左庇状部の下方位置に遊技球の給出口部を形成するようにしたが、該給出口部を右庇状部の下方位置に形成することもでき、この場合には、カバー部材の板状本体を、少なくとも庇状部間の開口領域の左方位置から給出口部の右方位置まで延在する大きさに寸法設定するようにすれば、実施例と同様の作用効果を得ることが可能である。なお、右庇状部の下方位置に給出口部を形成する場合には、第１壁部(壁部)を右庇状部の左端部から下方に向けて延在するよう形成することで、給出口部と開口領域とを隔離することができ、板状本体の後面側に挿入された異物が開口領域に到達するのを規制して遊技盤側に異物が侵入するのを防止し得る。また第２壁部(壁部)に関しては、給出口部の右側に位置するよう形成される。
【図面の簡単な説明】
【００５９】
【図１】本発明の実施例に係るパチンコ機を、前枠および上球皿を開放した状態で示す正面図である。
【図２】実施例に係る中枠にカバー部材と下球皿とを取り付けた状態を示す正面図である。
【図３】実施例に係る中枠の遊技補助盤および設置盤を示す正面図である。
【図４】実施例に係るカバー部材および耐熱性板部材を遊技補助盤から取り外した状態で中枠の遊技補助盤および設置盤を示す斜視図である。
【図５】実施例に係る上球皿を閉成した状態で示す縦断側面図である。
【図６】実施例に係る耐熱性板部材の配設箇所を示す要部縦断側面図である。
【図７】実施例に係るカバー部材を後側から見た状態を示す斜視図である。
【符号の説明】
【００６０】
１４  遊技盤
１６  上球皿
１６ｄ  球受け筒部
１６ｅ  上方開口
２５  遊技盤保持部(保持部)
２７  遊技補助盤
２８  左庇状部(庇状部）
３１  給出口部
３２  第１壁部(壁部)
３４  第２壁部(壁部)
５２  耐熱性板部材
【図１】
2006192083.tif 000003
【図２】
2006192083.tif 000004
【図３】
2006192083.tif 000005
【図４】
2006192083.tif 000006
【図５】
2006192083.tif 000007
【図６】
2006192083.tif 000008
【図７】
2006192083.tif 000009